(57)【特許請求の範囲】
【請求項１】
軸受台に揺動自在に支持されたブラケットと、ブラケットに回転自在に支持された回転軸と、回転軸に取り付けられたロータディスクと、ほぼ平板状の部分とコ字状部分を内周側に切目を有するように一体化してブラケットの外周に取り付けられ、上記切目にロータディスクを挿入され、ロータディスクとの対向面に凹凸を有するインダクタ部を設けたヨークと、コ字状部分の内側に設けられたコイルと、一対の給水管からブラケット内及びヨークの内周側を別々に通り、ヨークとロータディスクの間を通ってコイルに至るよう形成された冷却水通路とを備え、ヨークのコ字状部分の両端突出部を分割構造としたことを特徴とする渦電流式ダイナモメータ。
【発明の詳細な説明】
【０００１】
【発明の属する技術分野】
この発明は、車両の動力計測用に用いられる渦電流式ダイナモメータに関するものである。
【０００２】
【従来の技術】
図４及び図５は渦電流式ダイナモメータの半縦断正面図及び側面図を示し、１はベッド、２はベッド１上に設けられた軸受台、３は軸受台２に揺動軸受４を介して揺動自在に支持されたブラケット、５はブラケット３に回転軸受６を介して回転自在に支持された回転軸であり、例えばシャシーダイナモメータのローラの回転軸と連結される。７は回転軸５に取り付けられたロータディスク、８はブラケット３の外周に取り付けられた二分割構造のヨークであり、各分割部分８ａ，８ｂは内周側に切目８ｃを有するように一体化する。上記切目８ｃにはロータディスク７が挿入され、ロータディスク７との対向面には図６（ａ）〜（ｃ）にも示すように溝８ｈが放射状に設けられ、凹凸を有するインダクタ部８ｄが形成される。
【０００３】
９は各分割部分８ａ，８ｂの内側にそれぞれ設けられたコイル、１０は一端が軸受台２に取り付けられ、他端がヨーク８の給水孔８ｅに連結されたゴムホースからなる給水管、８ｆ，８ｇはヨーク８に給水孔８ｅから二手に分かれ、各分割部分８ａ，８ｂの内周側まで設けられた通水孔、１１，１２はベッド１に設けられた排水受け及び排水孔である。１３は各コイル９に植立された植立ボルトであり、ヨーク８に挿通され、ナット１４の螺着によりコイル９がヨーク８に固定される。１５は軸受台２上に設けられた軸受給油滴下器具である。１６は通水孔８ｆ，８ｇに設けられた絞りであり、円周方向に植立ボルト１３と交互に設けられている。１７はヨーク８に取り付けられたトルクアーム、１８はベッド１上に設けられたロードセル、１９は回転軸５の周辺に設けられた回転計である。
【０００４】
上記構成において、各コイル９には直流電流が流され、磁束が図６（ａ）の矢印に示すように発生する。インダクタ部８ｄでは凹凸があるために磁束が変化し、ロータディスク７は回転軸５と共に回転するのでロータディスク７には渦電流が発生し、動力を吸収する。一方、ブラケット３及びヨーク８からなる揺動部には電磁力によりトルクが発生し、トルクアーム１７を介してロードセル１８により測定される。又、回転計１９は回転軸５の回転数を検出し、トルクと回転数から動力が測定される。
【０００５】
又、ロータディスク７、ヨーク８のインダクタ部８ｄ、及びコイル９は発熱するので冷却する必要がある。そこで、給水源から給水管１０を介して通水孔８ｆ，８ｇを通り、ロータディスク７とヨーク８の隙間を介してコイル９方向に冷却水を導き、この冷却水をベッド１に設けた排水受け１１を介して排水孔１２から外部に排出するようにしている。
【０００６】
【発明が解決しようとする課題】
上記した従来の渦電流式ダイナモメータにおいては、冷却水を給水管１０から二手に分け、各通水孔８ｆ，８ｇを通るようにしており、各通水孔８ｆ，８ｇの通水量のバランスを取るために各通水孔８ｆ，８ｇに絞り１６を設けていた。即ち、図７に示すように、絞り１６をＯリング２０を介して各通水孔８ｆ，８ｇを横切ってヨーク８に螺着するようにしており、またコイル９の背面側にも冷却水を供給するために三方向絞りを用いており、特殊な絞りを用いる必要があり、時間とコストがかかった。又、ヨーク８にも二手に分かれた通水孔８ｆ，８ｇを形成するために、ヨーク８の構造が複雑になり、やはり時間とコストを要した。さらに、コイル９を２個用いたので、製作コストと組立時間を要した。
【０００７】
この発明は上記のような課題を解決するためになされたものであり、絞りやヨークの構造を簡単にして時間とコストを削減するとともに、コイルを１個としてコストと組立時間を削減することができる渦電流式ダイナモメータを得ることを目的とする。
【０００８】
【課題を解決するための手段】
この発明の請求項１に係る渦電流式ダイナモメータは、軸受台に揺動自在に支持されたブラケットと、ブラケットに回転自在に支持された回転軸と、回転軸に取り付けられたロータディスクと、ほぼ平板状の部分とコ字状部分を切目を有するように一体化してブラケットの外周に取り付けられ、上記切目にロータディスクを挿入され、ロータディスクとの対向面に凹凸を有するインダクタ部を設けたヨークと、コ字状部分の内側に設けられたコイルと、一対の給水管からブラケット内及びヨークの内周側を別々に通り、ヨークとロータディスクの間を通ってコイルに至るように形成された冷却水通路とを備え、ヨークのコ字状部分の両端突出部を分割構造としたものである。
【０００９】
【発明の実施の形態】
実施形態１
図１及び図２はこの発明の実施形態１による渦電流式ダイナモメータの半縦断正面図及びその一部拡大図を示し、２１はブラケット３の外周に取り付けられたヨークであり、ほぼ平板状の部分２１ａとコ字状部分２１ｂを内周側に切目２１ｅを有するように一体化し、さらにコ字状部分２１ｂはその両端突出部２１ｃ，２１ｄを分割構造としたものである。従って、ヨーク２１は４つの部分からなり、これらをボルトの締結により一体化したものである。平板状部分２１ａは実際にはややコ字状となっているが、その両端突出部は面一となっている。
【００１０】
コ字状部分２１ｂの内側にはコイル２２が設けられ、コイル２２は従来のコイル９の２個分のアンペアターンを有し、大きさも２個分となる。切目２１ｅにはロータディスク７が挿入され、ロータディスク７との対向面には凹凸を有するインダクタ部２１ｆが形成される。コイル２２には植立ボルト１３が植立され、この植立ボルト１３がコ字状部分２１ｂに挿通され、ナット１４を螺着することによりコイル２２がヨーク２１に固定される。
【００１１】
又、ブラケット３にはヨーク２１の内周側まで続く一対の通水孔３ａ，３ｂが設けられ、各通水孔３ａ，３ｂには一対の給水管２３が接続される。
【００１２】
上記構成において、動力測定の動作は従来と同様である。冷却水は給水源から一対の給水管２３を介して通水孔３ａ，３ｂを通り、ロータディスク７とヨーク８の隙間を介してコイル２２まで導かれ、さらに排水受け１１を介して排水孔１２から外部に排水され、この間にヨーク２１のインダクタ部２１ｆ，ロータディスク７、及びコイル２２を冷却する。
【００１３】
実施形態１においては、給水系統は外部において２系統に分けられており、系統間の通水量のバランスをとるためには外部において各給水系統に絞りを設ければよく、絞りの設置が容易で市販の絞りを用いることができる。又、通水孔３ａ，３ｂは比較的加工が容易なブラケット３に設けてヨーク２１には設けないので、ヨーク２１の製造が容易となった。さらに、コイル２２を１個としたので、製作や組立が容易となった。又、ヨーク２１をほぼ平板状の部分２１ａとコ字状部分２１ｂから構成し、コ字状部分２１ｂの両端突出部２１ｃ，２１ｄも分割構造としたので、板厚の厚い材料が不要となり、市販の材料を用いることができ、加工も容易となった。
【００１４】
なお、コイル２２は冷却水と接触するので、非磁性のパックで密封するか、あるいは全体をモールドして防水、絶縁構造とする。
【００１５】
実施形態２
図３は実施形態２による渦電流式ダイナモメータの要部縦断面図を示し、ヨーク２１をほぼ平板状の部分２１ａとコ字状部分２２１ｂから構成した点は実施形態１と同様であるが、コ字状部分２１ｂを分割構造としない点で実施形態１と異なる。その他の構成は実施形態１と同様である。
【００１６】
実施形態２によれば、コ字状部分２１ｂを分割構造としないので、その凹んだ部分を板厚の厚い材料から削り出す必要があり、材料入手と加工が困難となった。その他の効果は実施形態１と同様である。
【００１７】
【発明の効果】
以上のようにこの発明の請求項１によれば、外部に設けた一対の給水管を介して内部に冷却水を給水するようにしており、給水系統間の給水バランスを調整する絞りを外部に設けることができ、設置が容易で市販の絞りを用いることができ、製作時間とコストを削減することができる。又、内部通水孔を加工が複雑なヨークではなく加工が容易なブラケットに設けたので、やはり製作時間とコストを削減することができる。さらに、コイルを１個としたので、絶縁加工などの製作が容易となり、製作コストと組立時間を削減することができる。又、ヨークのコ字状部分の両端突出部を分割構造としたので、板厚の厚い材料が不要となり、加工が容易でコストも低減することができる。
【図面の簡単な説明】
【図１】この発明の実施形態１による渦電流式ダイナモメータの半縦断面図である。
【図２】図１の要部拡大図である。
【図３】実施形態２による渦電流式ダイナモメータの要部縦断面図である。
【図４】従来の渦電流式ダイナモメータの半縦断面図である。
【図５】従来の渦電流式ダイナモメータの側面図である。
【図６】図４の一部拡大図、及びそのＸ−Ｘ線矢視図、Ｙ−Ｙ線横断正面図である。
【図７】図４の一部拡大図である。
【符号の説明】
２…軸受台
３…ブラケット
３ａ，３ｂ…通水孔
４…揺動軸受
５…回転軸
６…回転軸受
７…ロータディスク
２１…ヨーク
２１ａ…ほぼ平板状の部分
２１ｂ…コ字状部分
２１ｃ，２１ｄ…両端突出部
２１ｅ…切目
２１ｆ…インダクタ部
２２…コイル
２３…給水管
【図１】
0003591176.tif 000002
【図２】
0003591176.tif 000003
【図３】
0003591176.tif 000004
【図４】
0003591176.tif 000005
【図５】
0003591176.tif 000006
【図６】
0003591176.tif 000007
【図７】
0003591176.tif 000008